(57)【要約】【課題】  本発明は、薄層で軽量であり、組立、解体、移動等の作業性や施工性が優れており、機械的強度が大きく、大きな荷重が負荷されても破壊されず、通気性、排水性、断熱性等が優れており、地中に埋設することにより植物を元気に育成することができ、建築物の屋上やベランダに設置して植物を元気に育成することできる人工土壌構成基材及びそれを用いた植物育成用人工土壌構造、緑地化構造並びに建築物の屋上に設置し、建築物の屋上やベランダで芝生等の植物を栽培するのに適した建築物屋上緑地化構造を提供する。【解決手段】  多数の貫通孔が穿設されている表薄板と裏薄板が多数のリブを介して積層されてなる中空板状体からなることを特徴とする人工土壌構成基材。【選択図】  図１
2005137364.tif 000002
【特許請求の範囲】
【請求項１】
多数の貫通孔が穿設されている表薄板と裏薄板が多数のリブを介して積層されてなる中空板状体からなることを特徴とする人工土壌構成基材。
【請求項２】
リブは板状体であり、多数の板状体が略平行に設置されて、排水路が形成され、貫通孔は帯状貫通孔であり、多数の帯状貫通孔が上記板状体に交差すると共に略平行に穿設されていることを特徴とする請求項１記載の人工土壌構成基材。
【請求項３】
排水路の中途部が閉鎖されて、貯水槽が形成されていることを特徴とする請求項１又は２記載の人工土壌構成基材。
【請求項４】
排水路の両端部が閉鎖されて、排水路が貯水可能になされ、溢れた水は貫通孔から端部のリブを越えて排水できるようになされていることを特徴とする請求項1、２又は３記載の人工土壌構成基材。
【請求項５】
請求項１又は２記載の人工土壌構成基材の表薄板上に請求項３又は４記載の人工土壌構成基材が積層されていることを特徴とする人工土壌構成基材。
【請求項６】
上板、下板及び貫通孔が穿設されていてもよい垂直壁よりなる、断面形状Ｉ型の継手により、請求項１〜５のいずれか１項記載の人工土壌構成基材が接続されて大板化されていることを特徴とする人工土壌構成基材。
【請求項７】
請求項１〜６のいずれか１項記載の人工土壌構成基材の表薄板に、すのこ状、波板状、凹凸状、箱状又は樋状であって、厚み方向に貫通孔が穿設されている成形体が積層されていることを特徴とする人工土壌構成基材。
【請求項８】
請求項１〜７のいずれか１項記載の人工土壌構成基材の表薄板に、不織布及び／又は活性炭が付着若しくは含浸されている不織布が積層されていることを特徴とする人工土壌構成基材。
【請求項９】
請求項１〜８のいずれか１項記載の人工土壌構成基材の表薄板側に、網状体が積層されていることを特徴とする人工土壌構成基材。
【請求項１０】
請求項１〜９のいずれか１項記載の人工土壌構成基材の表薄板側に、２枚の不織布が格子状に接合され、生じた格子目の上下不織布の間に肥料又は肥料と活性炭の混合物が封入されてなる植物育成シートが積層されていることを特徴とする人工土壌構成基材。
【請求項１１】
少なくとも１枚の不織布に活性炭が付着若しくは含浸されていることを特徴とする請求項１０記載の人工土壌構成基材。
【請求項１２】
請求項１〜１１のいずれか１項記載の人工土壌構成基材の表薄板側に、ロックウール繊維又はその成形体が積層されていることを特徴とする人工土壌構成基材。
【請求項１３】
ロックウール繊維の成形体が不織布、フェルト状体、板状体、角棒、粒状物又は綿状物であることを特徴とする請求項１２記載の人工土壌構成基材。
【請求項１４】
ロックウール繊維の成形体に凹部又は貫通孔が形成されていることを特徴とする請求項１３記載の人工土壌構成基材。
【請求項１５】
請求項１〜１４のいずれか１項記載の人工土壌構成基材の端部に側壁が立設されて箱状になされていることを特徴とする人工土壌構成基材。
【請求項１６】
請求項１〜１４のいずれか１項記載の人工土壌構成基材が屈曲されるか又は人工土壌構成基材の両端部に側壁が立設されて溝状になされていることを特徴とする人工土壌構成基材。
【請求項１７】
裏薄板に多数の貫通孔が穿設されていることを特徴とする請求項１〜１６のいずれか１項記載の人工土壌構成基材。
【請求項１８】
請求項１〜１７のいずれか１項記載の人工土壌構成基材の上部に土壌層が積層されていることを特徴とする植物育成用人工土壌構造。
【請求項１９】
石材層、ロックウール繊維又はその成形体層及び請求項１７記載の人工土壌構成基材が積層され、更に、該人工土壌構成基材の上部に土壌層が積層されていることを特徴とする植物育成用人工土壌構造。
【請求項２０】
土壌層中に、多数の貫通孔が穿設されている表薄板と多数の貫通孔が穿設されている裏薄板が多数のリブを介して積層されてなる中空板状体が積層されていることを特徴とする請求項１８又は１９記載の植物育成用人工土壌構造。
【請求項２１】
土壌層に芝草が植えつけられていることを特徴とする請求項１８、１９又は２０記載の植物育成用人工土壌構造。
【請求項２２】
土壌層の上に、更に、ロックウール繊維又はその成形体と土壌層が交互に積層され、最上部がロックウール繊維又はその成形体若しくは土壌層であることを特徴とする請求項１８、１９又は２０記載の植物育成用人工土壌構造。
【請求項２３】
ロックウール繊維又はその成形体と土壌層の間、ロックウール繊維又はその成形体中若しくは土壌層中に、多数の貫通孔が穿設されている表薄板と多数の貫通孔が穿設されている裏薄板が多数のリブを介して積層されてなる中空板状体が積層されていることを特徴とする請求項２２記載の植物育成用人工土壌構造。
【請求項２４】
表面のロックウール繊維又はその成形体若しくは土壌層に芝草が植えつけられていることを特徴とする請求項２２又は２３記載の植物育成用人工土壌構造。
【請求項２５】
請求項１８〜２４のいずれか１項記載の植物育成用人工土壌構造よりなる植栽部と、多数の貫通孔が穿設されていてもよい、表薄板と裏薄板が多数のリブを介して積層されており、リブは略平行に設置されて、排水路が形成されている中空板状体の表薄板に、透水性アスファルト、タイル、煉瓦、コンクリート、石材、人工石材、ゴムブロック、ゴムシート又は木材が積層されてなる建築用部材よりなる歩行部が、中空板状体の排水路が略平行であって連通するように配置されていることを特徴とする緑地化構造。
【請求項２６】
建築物屋上の、防水層が形成されている躯体上に、断熱材層を介して請求項１８〜２４のいずれか１項記載の植物育成用人工土壌構造が積層されていることを特徴とする建築物屋上緑地化構造。
【請求項２７】
建築物屋上の防水層が形成されている躯体上に、断熱材層を介して請求項１〜７のいずれか１項記載の人工土壌構成基材、請求項１７記載の人工土壌構成基材及び土壌層が、順次積層されていることを特徴とする建築物屋上緑地化構造。
【請求項２８】
土壌層中に、多数の貫通孔が穿設されている表薄板と多数の貫通孔が穿設されている裏薄板が多数のリブを介して積層されてなる中空板状体が積層されていることを特徴とする請求項２７記載の建築物屋上緑地化構造。
【請求項２９】
建築物屋上の躯体上に、断熱材層を介して、請求項１８〜２４のいずれか１項記載の植物育成用人工土壌構造よりなる植栽部と、多数の貫通孔が穿設されていてもよい表薄板と裏薄板が多数のリブを介して積層されており、リブは略平行に設置されて、排水路が形成されている中空板状体の表薄板に透水性アスファルト、タイル、煉瓦、コンクリート、石材、ゴムブロック、ゴムシート又は木材が積層されてなる建築用部材よりなる歩行部が、中空板状体の排水路が略平行であって連通するように配置されていることを特徴とする建築物屋上緑地化構造。
【請求項３０】
建築物屋上の防水層が形成されている躯体上に、断熱材層を介して、請求項１〜７のいずれか１項記載の人工土壌構成基材、請求項１７記載の人工土壌構成基材及び土壌層が、順次積層されてなる植栽部と、多数の貫通孔が穿設されていてもよい表薄板と裏薄板が多数のリブを介して積層されており、リブは略平行に設置されて、排水路が形成されている中空板状体の表薄板に透水性アスファルト、タイル、煉瓦、コンクリート、石材、ゴムブロック、ゴムシート又は木材が積層されてなる建築用部材よりなる歩行部が、中空板状体の排水路が略平行であって連通するように配置されていることを特徴とする建築物屋上緑地化構造。
【請求項３１】
土壌層中に、多数の貫通孔が穿設されている表薄板と多数の貫通孔が穿設されている裏薄板が多数のリブを介して積層されてなる中空板状体が積層されていることを特徴とする請求項３０記載の建築物屋上緑地化構造。
【請求項３２】
土壌層の上に、更に、ロックウール繊維又はその成形体と土壌層が交互に積層され、最上部がロックウール繊維又はその成形体若しくは土壌層であることを特徴とする請求項３１記載の建築物屋上緑地化構造。
【請求項３３】
ロックウール繊維又はその成形体と土壌層の間、ロックウール繊維又はその成形体中若しくは土壌層中に、多数の貫通孔が穿設されている表薄板と多数の貫通孔が穿設されている裏薄板が多数のリブを介して積層されてなる中空板状体が積層されていることを特徴とする請求項３２記載の植物育成用人工土壌構造。
【請求項３４】
断熱材層が、表薄板と裏薄板が多数の板状体リブを介して積層され、板状体リブにより気体通路が形成されている中空板状体であることを特徴とする請求項２６〜３３のいずれか１項記載の建築物屋上緑地化構造。
【発明の詳細な説明】
【技術分野】
【０００１】
本発明は、植物の育成に適した人工土壌構成基材及びそれを用いた植物育成用人工土壌構造並びに建築物の屋上に設置し、建築物の屋上やベランダで芝草等の植物を栽培するのに適した建築物屋上緑地化構造に関する。
【背景技術】
【０００２】
従来から、公園、校庭、競技場、道路周辺、家庭の庭等の緑地化は、住環境や都市環境を向上させるための重要ポイントであり、盛んに行われている。特に、最近は芝生を植えることが盛んに行われているが、芝草は適度の通気性、排水性、温度管理等が要求されるので管理が困難であり、美しく植生することは困難であった。
【０００３】
又、都市部においては緑地化対策として、建築物の屋上やベランダの利用が検討されており、例えば、建築物の屋上やベランダの上に防水シートや防根シートを敷き、モルタル加工したり合成樹脂板を敷き詰めた後、その上に土壌を積層して植物を栽培していた。
【０００４】
しかし、上記方法では植物の根が成長すると、防水シートや防根シートを通り抜け屋上やベランダに到達し、屋上やベランダのコンクリ−トに浸入して建築物に水漏れをおこすという欠点があった。又、上記方法では、施工や補修に時間とコストがかかるという欠点があった。
【０００５】
上記欠点を解消するため、植物栽培用容器を敷き詰めた植物栽培装置が提案されている。例えば、ビルの屋上、ベランダ等の建物床上等に植物栽培用の土床を一定範囲に亘って形成する際に適用され、前記土床をその下方から支持する複数の相互に連結された薄箱状の容器ユニットからなる植物栽培装置であって、前記各容器ユニットは、前記土床の支持範囲を画する周枠と、この周枠の下端から下方に向かって緩やかな角度で下降傾斜し、前記周枠の下方全範囲を閉塞するとともに、その下端位置に水抜き孔を有する底壁と、この底壁の上面に複数のリブを介して前記周枠内で水平に配置され、前記土床を下方から支持する通水可能な土床支持板と、前記底壁の前記水抜き孔に設けられた防根用の蓋体と、前記底壁の下面複数箇所から垂下し、前記建物床上等に固定載置される支持脚とを備えたことを特徴とする植物栽培装置が提案されている（例えば、特許文献１参照。）。
【特許文献１】特開２００２−２５３０５２号公報
【０００６】
しかしながら、上記植物栽培装置においては、薄箱状の容器ユニットに土壌を充填するのであるから、容器ユニットは重く、施工も困難であった。又、最近は建築物の耐震性向上のために、薄層軽量化が要求されているが、上記植物栽培装置を薄層軽量化すると、土壌中温度のバランスの不具合の発生、土壌自然排水と通気構造の環境構築不全又は土壌構造保水量に起因した土壌硬度軟弱化、植物栽培装置上での重機材の使用や重資材を搬入による容器ユニットの破壊等の欠点があった。
【発明の開示】
【発明が解決しようとする課題】
【０００７】
本発明の目的は、上記欠点に鑑み、薄層で軽量であり、組立、解体、移動等の作業性や施工性が優れており、機械的強度が大きく、大きな荷重が負荷されても破壊されず、通気性、排水性、断熱性等が優れており、地中に埋設することにより植物を元気に育成することができ、又、建築物の屋上やベランダに設置して植物を元気に育成することできる人工土壌構成基材及びそれを用いた植物育成用人工土壌構造、緑地化構造並びに建築物の屋上に設置し、建築物の屋上やベランダで芝生等の植物を栽培するのに適した建築物屋上緑地化構造を提供することにある。
【課題を解決するための手段】
【０００８】
請求項１記載の人工土壌構成基材は、多数の貫通孔が穿設されている表薄板と裏薄板が多数のリブを介して積層されてなる中空板状体からなることを特徴とする。
【０００９】
上記表薄板、裏薄板及びリブを構成する材料は、植物の育成の障害にならない材料であれば、特に限定されず、例えば、ポリエチレン樹脂、ポリプロピレン樹脂などのポリオレフィン系樹脂、ポリ塩化ビニル系樹脂、ポリスチレン系樹脂、ポリアクリル系樹脂、ＡＢＳ樹脂、ポリフッ素系樹脂、ポリカーボネート系樹脂、ポリエステル系樹脂、ポリアリレート系樹脂、エポキシ系樹脂、シリコン系樹脂、ポリイミド系樹脂、合成ゴム等の熱可塑性樹脂、熱硬化性樹脂及び光硬化性樹脂、金属、材木、熱可塑性樹脂、熱硬化性樹脂又は光硬化性樹脂で被覆された金属又は材木等が挙げられ、耐食性及び成形性に優れた熱可塑性樹脂が好ましく、押出成形、射出成形等の成形方法により成形されるのが好ましい。
【００１０】
熱可塑性樹脂で成形された表薄板、裏薄板及びリブは、透明、半透明、不透明のいずれでもよく、耐候性、耐光性、耐熱性、成形性等を向上させるために、熱可塑性樹脂の成形の際に一般に使用されている熱安定剤、安定化助剤、滑剤、加工助剤、酸化防止剤、光安定剤、顔料、無機充填剤、可塑剤等が添加されてもよい。
【００１１】
上記表薄板及び裏薄板の厚みは、特に限定されるものではないが、薄くなると機械的強度が小さくなり、負荷がかかると破壊されやすくなり、厚くなると重くなるので０．５〜５ｍｍが好ましい。
【００１２】
又、表薄板には多数の貫通孔が穿設されているが、その形状は特に限定されず、例えば、直線、曲線、蛇行線等の帯、三角形、四角形、六角形等の多角形、円形、楕円形、幾何学模様、渦巻き模様等が挙げられる。
【００１３】
上記リブの形状も特に限定されず、例えば、板状、円柱状、円筒状、角柱状、円錐台状、角錐台状等が挙げられ、板状の場合は通気性、排水性をもたすために貫通孔が穿設されていてもよい。又、貫通孔を形成してもよい凹状、凸状、凹凸状も挙げられる。
【００１４】
上記人工土壌構成基材は、多数の貫通孔が穿設されている表薄板と裏薄板が多数のリブを介して積層されてなる中空板状体であるが、中空板状体の厚みは薄くなると断熱性、通気性、排水性等が低下し、厚くなると耐荷重性が低下するので、３〜３０ｍｍが好ましく、より好ましくは９〜１８ｍｍである。又、その重さは、貫通孔の開口率により異なるが、一般に０．６ｋｇ／ｍ2 〜６．０ｋｇ／ｍ2 が好ましく、より好ましくは１．５ｋｇ／ｍ2 〜５．６ｋｇ／ｍ2 である。
【００１５】
又、上記中空板状体の形状は、特に限定されず、例えば、三角形、四角形、六角形等の多角形、円形、楕円形等の形状が挙げられるが、接続して大板化して使用することがあるので、略矩形であるのが好ましく、その大きさは３０〜１３０ｃｍ×３０〜３００ｃｍが好ましい。
【００１６】
請求項２記載の人工土壌構成基材は、リブは板状体であり、多数の板状体が略平行に設置されて、排水路が形成され、貫通孔は帯状貫通孔であり、多数の帯状貫通孔が上記板状体に交差すると共に略平行に穿設されていることを特徴とする請求項１記載の人工土壌構成基材である。
【００１７】
即ち、請求項１記載の人工土壌構成基材において、リブは板状体であり、多数の板状体が略平行に設置されて、排水路が形成され、貫通孔は帯状貫通孔であり、多数の帯状貫通孔が上記板状体に交差すると共に略平行に穿設されていることを特徴とする。
【００１８】
図１は請求項２記載の人工土壌構成基材の一例を示す斜視図である。図中１は縦９０ｃｍ、横９０ｃｍ、厚さ１．３ｍｍの正方形の表薄板であり、２は縦９０ｃｍ、横９０ｃｍ、厚さ１．３ｍｍの正方形の裏薄板である。表薄板１には幅２．５ｍｍの直線状の帯状貫通孔３、３・・が３０ｍｍごとに平行に穿設されている。４、４・・は高さ９．４ｍｍ、厚さ１．３ｍｍの板状体のリブであり、お互いに平行であって、帯状貫通孔３に垂直に交差するように表薄板１と裏薄板２の間に３０ｍｍごとに設置され、排水路５、５・・が形成されて中空板状体６が形成されている。
【００１９】
上記帯状貫通孔３とリブ４の交差角度は、表薄板１に到達した水が帯状貫通孔３を通って排水路５に侵入し、排水路５を通って外部に排出されればよく、特に限定されないが、水の排出効率の優れた略垂直が好ましい。
【００２０】
帯状貫通孔３の幅は、特に限定されないが、幅が狭くなると表薄板１と排水路５間の排水性や通気性が低下し、幅が広くなると耐荷重性が低下し、植物の根が侵入しやすくなり、侵入した根により排水路５の排水性や通気性が低下するので、１〜３ｍｍが好ましい。  又、帯状貫通孔３と帯状貫通孔３の間隔は、特に限定されないが、間隔が狭くなると耐荷重性が低下し、広くなると排水性、通気性等が低下するので１０〜４０ｍｍが好ましい。又、帯状貫通孔３の断面形状も、特に限定されず、例えば、長方形状、Ｕ字状、Ｖ字状、アリ溝状等が挙げられる。
【００２１】
上記中空板状体の製造方法は、従来公知の任意の方法が採用されてよく、熱可塑性樹脂で製造する場合は、押出成形及び射出成形が好ましく、特に、請求項２における中空板状体の製造はリブ方向に押出成形するのが好ましい。又、貫通孔は従来公知の任意の電動機械、電動工具、切欠機械で穿設されればよいが、多数の帯状貫通孔を平行に穿設するには、一定の刃先幅を有する多数のチップソーを一定間隔に設置された主軸棒を金属製のテーブルの中央部に設け、主軸棒を動力回転させながら、テーブルに設置された移動補助ローラ上に中空板状体を載置し、排水路と交差する方向に移動させて、中空板状体の表薄板にチップソーにより、帯状貫通孔を穿設するのが好ましい。
【００２２】
上記請求項１又は２記載の人工土壌構成基材の表薄板及び裏薄板には、補強、耐候性、耐光性、耐熱性等の付与のために、ポリエチレン樹脂、ポリプロピレン樹脂などのポリオレフィン系樹脂、ポリ塩化ビニル系樹脂、ポリスチレン系樹脂、ポリアクリル系樹脂、ＡＢＳ樹脂、ポリフッ素系樹脂、ポリカーボネート系樹脂、ポリエステル系樹脂、ポリアリレート系樹脂、ポリイミド系樹脂等の合成樹脂フィルムやアルミ箔が積層されてもよい。又、意匠性等の付与のために、合成樹脂フィルムに絵模様、写真等が印刷されていてもよい。尚、合成樹脂フィルムやアルミ箔の積層は貫通孔の部分を除いて行うか、表薄板に穿設されている貫通孔の部分の合成樹脂フィルムに貫通孔を設ける必要がある。
【００２３】
請求項３記載の人工土壌構成基材は、排水路の中途部が閉鎖されて、貯水槽が形成されていることを特徴とする請求項1又は２記載の人工土壌構成基材である。
即ち、散布された水又は雨水の大部分を排水し、排水路に部分的に形成された貯水槽に一部の水を貯留することができる。
【００２４】
請求項４記載の人工土壌構成基材は、排水路の両端部が閉鎖されて、排水路が貯水可能になされ、溢れた水は貫通孔から端部のリブを越えて排水できるようになされていることを特徴とする請求項1〜３記載の人工土壌構成基材である。
この請求項1記載の人工土壌構成基材の場合、端部並びに連続するリブ上部の表薄板に貫通孔を形成し、その形成箇所に露呈するリブに切欠き形状を形成することにより、排水路に貯留される水の量を調整することができる。又、請求項２又は３記載の人工土壌構成基材の場合、端部のリブに貫通孔に連続する切欠きを形成することにより、排水路に貯留される水の量を調整することができる。
【００２５】
上記排水路の両端部を閉鎖する方法は、公知の任意の方法が採用されてよいが、上記人工土壌構成基材の表薄板、裏薄板及びリブを構成する材料よりなる板状体、防水テープ、ビニルテープ、アルミ箔テープ等で閉鎖されるのが好ましい。
【００２６】
図２は排水路の両端部を閉鎖された人工土壌構成基材の一例を示す側面図である。表薄板１と裏薄板２は多数の板状体のリブを介して積層され、図２において横方向の排水路が形成されている。排水路の両端部は板状体７、７により閉鎖され、排水路が貯水可能になされている。表薄板１には、図２において垂直方向に、一定間隔に帯状貫通孔３、３・・が穿設されており、且つ、端部のリブ４’には帯状貫通孔３に連続して切欠き部８、８・・が穿設されて排水路から溢れた水が貫通孔及び端部のリブの切欠き部８を越えて排水できるようになされている。
【００２７】
請求項５記載の人工土壌構成基材は、請求項１又は２記載の人工土壌構成基材の表薄板上に請求項３又は４記載の人工土壌構成基材が積層されていることを特徴とする人工土壌構成基材である。
請求項１又は２記載の人工土壌構成基材の表薄板上に請求項３又は４記載の人工土壌構成基材を部分的に積層することにより、適当な位置に貯水することができる。
【００２８】
上記請求項１〜５記載の人工土壌構成基材を複数枚並列に配設し接続することにより大板化することができる。接続は、従来公知の任意の接続方法が採用されてよく、例えば、人工土壌構成基材の端面を突合せ端面同士を接着剤で接着する方法、人工土壌構成基材の端部を突合せ端部表面を防水粘着テープ、防根侵入接着シート等で接着する方法、端部に補助部材を積層し、ビス、ボルト等で固定する方法、人工土壌構成基材の端部を嵌合しうる継手に端部を嵌合固定する方法等が挙げられ、継手を用いて嵌合固定する方法が好ましい。
【００２９】
請求項６記載の人工土壌構成基材は、上板、下板及び貫通孔が穿設されていてもよい垂直壁よりなる、断面形状Ｉ型の継手により、請求項１〜５のいずれか１項記載の人工土壌構成基材が接続されて大板化されていることを特徴とする。
【００３０】
上記継手は、垂直壁を介して上板と下板が積層された断面形状Ｉ型の継手であり、垂直壁には貫通孔が穿設されていてもよい。上板、下板及び垂直壁を構成する材料は、上記請求項１〜５のいずれか１項記載の人工土壌構成基材の表薄板、裏薄板及びリブを構成する材料と同一の材料が使用されてよく、その厚みも上記請求項１〜５のいずれか１項記載の人工土壌構成基材の表薄板、裏薄板及びリブと略同一であるのが好ましい。
【００３１】
継手の幅は、人工土壌構成基材を嵌合し接続するのであるから、７ｍｍ以上が好ましく、より好ましくは１０〜４０ｍｍであり、長さは人工土壌構成基材の長さにあわせて決定されればよい。又、上板と下板の間隔も人工土壌構成基材を嵌合しうるように、人工土壌構成基材の厚さに従って適宜決定されればよい。
【００３２】
又、垂直壁に穿設される貫通孔の形状は特に限定されず、例えば、直線、曲線、蛇行線等の帯、三角形、四角形、六角形等の多角形、円形、楕円形、幾何学模様、渦巻き模様等が挙げられる。
【００３３】
人工土壌構成基材の接続は、人工土壌構成基材を継手に単に嵌合するだけでも良いが、より強固に固定したり、根が侵入することを防止するために、人工土壌構成基材と継手を嵌合した接合部に防水粘着テープ、アルミ箔粘着テープ、防根侵入接着シート等を貼付してもよいし、人工土壌構成基材と継手の間に合成樹脂発泡シート等の緩衝材を介装してもよいし、更に接着剤で接着してもよい。
【００３４】
又、大板化された人工土壌構成基材の形状は特に限定されず、大きな人工土壌構成基材を作成し、その端部を電動のこ等の工具を使用して切断して、円形、楕円形、その他自由な形状にしてもよいし、人工土壌構成基材を敷設する際に障害物が存在する場合は、障害物の形状に整合する形状に切断してもよい。
【００３５】
図３は請求項６記載の人工土壌構成基材の一例を示す平面図であり、図４は図３におけるＡ−Ａ断面図であり、図５は図３におけるＢ−Ｂ断面図である。図３に記載の人工土壌構成基材は、図１で説明した４枚の中空板状体６ａ、６ｂ、６ｃ、６ｄが継手９ａ、９ｂにより接続されて大板化されている。
継手９ａは垂直壁１０を介して上板１１と下板１２が積層された断面形状Ｉ型の継手であり、継手９ｂは、多数の略楕円形の貫通孔１３が穿設されている垂直壁１０’を介して上板１１’と下板１２’が積層された断面形状Ｉ型の継手である。
【００３６】
中空板状体６ａと６ｂ及び中空板状体６ｃと６ｄは、それぞれ帯状貫通孔３の方向が平行になるように、継手９ａに嵌合されて接続されており、中空板状体６ａと６ｃ及び中空板状体６ｂと６ｄは、それぞれ排水路５の方向が平行になるように、継手９ｂに嵌合されて接続されている。即ち、中空板状体６ａと６ｃ及び中空板状体６ｂと６ｄの排水路５は継手９ｂの垂直壁１０’に穿設されている貫通孔１３を通って連通されており、図３において上から下方向又は下から上方向に排水可能になされている。
【００３７】
上記請求項１、２又は３項記載の人工土壌構成基材を地中に埋設すると、その部分の排水性、通気性、断熱性、保温性等が向上する。従って、道路周辺やスポーツ競技場では排水性が向上し水はけがよく水溜りが発生しにくくなる。又、畑、花壇、テニス場、ゴルフ場、芝生の植生されたスポーツ競技場では、水はけがよく、通気性が優れ、夏は断熱され、冬は保温されるので花、野菜、芝生等の生長が促進される。又、上記人工土壌構成基材を植木鉢に挿入して植物の栽培に使用することも可能である。
【００３８】
又、上記請求項４、５又は６項記載の人工土壌構成基材を地中に埋設すると、地中に全体的又は部分的に貯水することができ、保水性が向上するので畑、花壇、ゴルフ場、芝生の植生されたスポーツ競技場等保水性が要求される場所で好適に使用できる。
【００３９】
尚、請求項６記載の人工土壌構成基材の排水路の一部を閉鎖することにより、隣り合う又は他の中空板状体の間で水貯留槽を形成してもよい。
【００４０】
請求項７記載の人工土壌構成基材は、請求項１〜６のいずれか１項記載の人工土壌構成基材の表薄板に、すのこ状、波板状、凹凸状、箱状又は樋状であって、厚み方向に貫通孔が穿設されている成形体が積層されていることを特徴とする。
【００４１】
上記成形体は、請求項１〜６のいずれか１項記載の人工土壌構成基材の表薄板に積層することにより、より機械的強度、断熱性、排水性、通気性等を向上させるためのものであって、すのこ状、波板状、凹凸状、箱状又は樋状の成形体である。
【００４２】
上記成形体を構成する材料は、植物の育成の障害にならない材料であれば、特に限定されず、例えば、ポリエチレン樹脂、ポリプロピレン樹脂などのポリオレフィン系樹脂、ポリ塩化ビニル系樹脂、ポリスチレン系樹脂、ポリアクリル系樹脂、ＡＢＳ樹脂、ポリフッ素系樹脂、ポリカーボネート系樹脂、ポリエステル系樹脂、ポリアリレート系樹脂、エポキシ系樹脂、シリコン系樹脂、ポリイミド系樹脂等の熱可塑性樹脂、熱硬化性樹脂及び光硬化性樹脂等の合成樹脂及びその発泡体、ゴム、ヤシガラ、穀物、木、ガラス廃材等を原料として接着材で固着し成形されているのが好ましい。
【００４３】
板状基材は、透明、半透明、不透明のいずれでもよく、合成樹脂及びゴムで成形されている場合は、耐候性、耐光性、耐熱性、成形性等を向上させるために、合成樹脂の成形の際に一般に使用されている熱安定剤、安定化助剤、滑剤、加工助剤、酸化防止剤、光安定剤、顔料、無機充填剤、可塑剤等が添加されてもよい。
【００４４】
上記成形体の厚みは、特に限定されるものではないが、薄くなると機械的強度が小さくなり、負荷がかかると破壊されやすくなり、厚くなると重くなるので１〜4ｃｍが好ましい。
【００４５】
又、上記成形体には厚み方向に貫通孔が穿設されているが、貫通孔の形状は特に限定されず、例えば、直線、曲線、蛇行線等の帯、三角形、四角形、六角形等の多角形、円形、楕円形、幾何学模様、渦巻き模様等が挙げられる。
【００４６】
請求項８記載の人工土壌構成基材は、請求項１〜７のいずれか１項記載の人工土壌構成基材の表薄板に、不織布及び／又は活性炭が付着若しくは含浸されている不織布が積層されていることを特徴とする。
【００４７】
上記不織布は、土壌の流出を防止できたり、根が表薄板の貫通孔に侵入することを防止しうるものが好ましく、例えば、綿、スフ等の天然繊維、ポリエチレン繊維、ポリプロピレン繊維、ポリエステル繊維、ナイロン繊維、ビニロン繊維、アクリル繊維等の合成繊維、ガラス繊維、炭素繊維等の無機繊維等の繊維からなる不織布が挙げられ、親水性のナイロン繊維又はビニロン繊維よりなる不織布が好ましい。又、ポリエステル繊維にアクリル系樹脂をコーティングしたポリエステルスパンボンド不織布も好適に使用される。又、不織布の目付量、厚み等は、特に限定されるものではないが、一般に、目付量は１０〜５００ｇ／ｍ2 が好ましく、厚みは０．０３〜４ｍｍが好ましく、透水係数は０．１〜５ｍｍ／ｓｅｃが好ましい。
【００４８】
又、上記不織布は、活性炭が付着若しくは含浸されていてもよい。活性炭は微生物活性効果を有しており、植物の生育に効果を有している。活性炭は不織布の表面に単に付着又は不織布内に含浸されていてもよいが、セルロース、合成樹脂等の結着剤で不織布全体に均一に結着されているのが好ましい。
【００４９】
不織布及び活性炭が付着若しくは含浸されている不織布は、少なくともいずれか１層が人工土壌構成基材の表薄板に積層されているのであり、両方の不織布が１層ずつ積層されていてもよいし、いずれかの不織布又は両方の不織布が複数層積層されていてもよい。
【００５０】
請求項９記載の人工土壌構成基材は、請求項１〜８のいずれか１項記載の人工土壌構成基材の表薄板側に、網状体が積層されていることを特徴とする。
【００５１】
上記網状体を構成する材料は、植物の育成の障害にならない材料であれば、特に限定されず、例えば、ポリオレフィン系樹脂、ポリ塩化ビニル系樹脂、ポリスチレン系樹脂、ポリアクリル系樹脂、ポリエステル系樹脂等の熱可塑性樹脂繊維から製造されているのが好ましい。
【００５２】
網状体が積層されていると、網状体に成長した植物の根がからまり、植物が抜けにくくなるので、網状体の網目は植物の根の太さや伸長力により適宜決定されればよいが、一般に小さいほうが好ましく、芝生の場合、縦目ピッチ、横目ピッチともに１〜１０ｍｍが好ましい。
【００５３】
請求項１０記載の人工土壌構成基材は、請求項１〜９のいずれか１項記載の人工土壌構成基材の表薄板側に、２枚の不織布が格子状に接合され、生じた格子目の上下不織布の間に肥料又は肥料と活性炭の混合物が封入されてなる植物育成シートが積層されていることを特徴とする。
【００５４】
上記不織布としては、通気性及び通水性を有する不織布が好ましく、前述の不織布が使用される。
上記植物育成シートは、２枚の不織布が格子状に接合され、生じた格子目の上下不織布の間に肥料又は肥料と活性炭の混合物が封入されてなる。
【００５５】
不織布の接合は従来公知の任意の方法が採用されてよいが、熱溶着により接合されるのが好ましく、接合と同時に肥料又は肥料と活性炭の混合物が格子目の上下不織布の間に封入されるのが好ましい。特に、幅２００〜６００ｍｍの不織布を格子目の大きさ（熱溶着内寸）が縦５５〜９５ｍｍ、横３０〜５８ｍｍに連続的に溶着できると共に同時に肥料又は肥料と活性炭の混合物が格子目の上下不織布の間に充填できる機能を有する機械装置で成形されるのが好ましい。
【００５６】
上記肥料としては、植物の育成に一般に使用されている肥料であれば特に限定されず、例えば、窒素、リン、カリウムのいずれかを含む肥料又はその混合物が挙げられ、肥料の形状も粉末、粒状、細棒、固形状、籾殻状等特に限定されない。又、一つの格子目に封入される肥料又は肥料と活性炭の混合物の量は一般に１〜１０ｇである。
【００５７】
又、上記植物育成シートを構成する２枚の不織布の少なくとも１枚の不織布に活性炭が付着若しくは含浸されていてもよいし、上記植物育成シートに更に活性炭が付着若しくは含浸されている不織布が積層されてもよい。
【００５８】
図５は上記植物育成シート１８の一例を示す斜視図である。図中１４は幅４５ｃｍ、長さ１５８ｃｍのポリエステルスパンボンド不織布（目付量４０ｇ／ｍ2 ）であり、１５は活性炭付着ポリエステルスパンボンド不織布（目付量８０ｇ／ｍ2 ）である。不織布１４と１５は格子目１６の大きさが縦６０ｍｍ、横３６ｍｍになるように熱溶着されている。格子の数は２３０であり、各格子には窒素、リン及びカリウムを混和した顆粒状の肥料１７が１ｇ封入されている。
【００５９】
請求項１２記載の人工土壌構成基材は、請求項１〜１０のいずれか１項記載の人工土壌構成基材の表薄板側に、ロックウール繊維又はその成形体が積層されていることを特徴とする。
【００６０】
上記ロックウール繊維は、溶銑炉で高炉スラグ、玄武岩等を１３００〜１５００℃で溶融し、繊維化したものであって、その成分（化学組成）はＳｉＯ2 約３５〜４５重量％、Ａｌ2 Ｏ3 約１０〜２０重量％、ＣａＯ約２０〜４０重量％、ＭｇＯ約４〜８重量％、ＭｎＯ約１〜４重量％及びＦｅ2 Ｏ3 約０〜１０重量％よりなる。ロックウール繊維は、病原菌や雑草の種子を含有せず、自重の約５倍の保水性を有しており、植物を植えると丈夫に育つ。又、ロックウール繊維は、断熱性が優れ、国土交通省から認定を受けている不燃材料であり、火災の延焼防止効果を有するものである。
【００６１】
上記ロックウール繊維の成形体の密度は２５ｋｇ／ｍ3 以上が好ましく、芝草（ソッド）を植えつける場合は６０ｋｇ／ｍ3 以上が好ましい。成形体の形状は使用しやすい形状である、不織布、フェルト状体、板状体、角棒、粒状物及び綿状体が好ましい。又、成形体には凹部又は貫通孔が形成されているのが好ましい。
【００６２】
上記凹部の形状は、特に限定されず、例えば、開口部の形状が円形、楕円形、三角形、四角形、六角形、八角形、十文字形等の穴、線状切り欠き、帯状溝等が挙げられる。又、貫通孔の形状も、特に限定されず、例えば、円形、楕円形、三角形、四角形、六角形、八角形、十文字形等が挙げられる。更に、線状切り欠きや帯状溝を交差するように形成し、交差した点に穴や貫通孔を設けてもよい。穴及び貫通孔の開口部の直径は３ｍｍ以上が好ましく、線状切り欠きや帯状溝の幅は０．５〜１０ｍｍが好ましい。上記凹部及び貫通孔は１０〜３０ｍｍ程度の一定間隔で設けられてもよいしランダムに設けられてもよく、又、成形体全面に形成されてもいし、部分的に形成されてもよい。
【００６３】
上記ロックウール繊維の粒状物を積層する場合は、植栽する植物のサイズに見合う高さとロックウール繊維の最大保水量等から適宜決定されればよいが、一般に２０ｍｍ以上の厚さに積層されるのが好ましい。
【００６４】
上記ロックウール繊維の角棒を積層する場合は、角棒を一定方向に隙間なく連続して又は等間隔に並列に並べて積層するのが好ましく、作業を容易にするために、予め一定方向に隙間なく連続して又は等間隔に並列に並べられた角棒の一面又は上下両面に、不織布、紙、布、網、多数の貫通孔が穿設されている合成樹脂シート又はアルミニウム箔等のシートを接着剤で接着積層したベルト形状ロックウール繊維成形体を用いてもよい。
【００６５】
上記ロックウール繊維及びその成形体には水や肥料が含浸されていてもよい。又、上記ロックウール繊維及びその成形体、特に粒状物に直接植物を植栽して生育することも可能である。
【００６６】
上記不織布及び／又は活性炭が付着若しくは含浸されている不織布、網状体、植物育成シート及びロックウール繊維又はその成形体は、それぞれ複数積層されてもよいし、併用して積層されてもよい。又、それぞれの積層順序も特に限定されるものではないが、不織布及び／又は活性炭が付着若しくは含浸されている不織布とそれ以外のものを併用する際には、不織布及び／又は活性炭が付着若しくは含浸されている不織布を中空板状体の表薄板に積層し、その上にそれ以外のものを積層するのが好ましい。
【００６７】
又、上記不織布及び／又は活性炭が付着若しくは含浸されている不織布、網状体、植物育成シート及びロックウール繊維又はその成形体を中空板状体に積層する際に、積層後のずれの発生等を防ぐ必要がある場合には、接着剤、粘着剤、粘着テープ等で貼付したり、熱溶着したり、ビス留めして固定してもよい。
【００６８】
請求項１５記載の人工土壌構成基材は、請求項１〜１４のいずれか１項記載の人工土壌構成基材の端部に側壁が立設されて箱状になされていることを特徴とする。
【００６９】
上記底壁となる人工土壌構成基材の形状は、特に限定されず、例えば、四角形、六角形、八角形、円形等の形状が挙げられる。又、上記側壁としては、機械的強度を有する任意の板状体が使用可能であるが、通気性、排水性、断熱性等の優れた、上記中空板状体が好ましい。側壁は中空板状体の端部を折り曲げることにより立設されてもよいし、他の中空板状体を組み立てて立設されてもよい。
【００７０】
図７は箱状の人工土壌構成基材の一例を示す斜視図であり、図８は図７におけるＣ−Ｃ断面図であり、図９は図７におけるＤ−Ｄ断面図である。
【００７１】
図中１９は中空板状体からなる、縦４５ｃｍ、横４５ｃｍ、厚さ１５ｍｍの平面正方形の底壁であり、底壁１９の４辺に中空板状体からなる側壁２０ａ、２０ｂ、２０ｃ及び２０ｄが立設されて箱状の人工土壌構成基材が形成されている。側壁２０ａ及び２０ｃは縦３０ｃｍ、横４２ｃｍ、厚さ１５ｍｍの中空板状体であり、側壁２０ｂ及び２０ｄは縦３０ｃｍ、横４５ｃｍ、厚さ１５ｍｍの中空板状体である。各中空板状体には厚さ１．５ｍｍの板状体であるリブ４が１０ｍｍ間隔に設置されて排水路５が形成されている。側壁２０ａ、２０ｂ、２０ｃ及び２０ｄは、それぞれのリブ４が水平になるように、即ち、排水路５が水平方向になるように設置されている。又、底壁１９はリブ４（排水路５）が、側壁２０ａから側壁２０ｄの方向になるように設置されている。
【００７２】
底壁１９の両端部の排水路５には、一定間隔に貫通孔が穿設されている、縦８ｍｍ、横８ｍｍ、長さ４２０ｍｍのアルミニウム製角棒である接合部材２１ａが挿入されており、側壁２０ａと側壁２０ｃの下端部の排水路５には、両端部に雌ネジ穴が穿設されていると共に一定間隔に雌ネジ穴が穿設されている、縦８ｍｍ、横８ｍｍ、長さ４２０ｍｍのアルミニウム製角棒である接合部材２１ｂが挿入されている。側壁２０ａと側壁２０ｃの上端部と中間部の排水路５、５には、両端部に雌ネジ穴が穿設されている、縦８ｍｍ、横８ｍｍ、長さ４２０ｍｍのアルミニウム製角棒である接合部材２１ｃが挿入されており、側壁２０ｂ及び２０ｄの上端部、中間部及び下端部の排水路６には、両端部に貫通孔が穿設されている、縦８ｍｍ、横８ｍｍ、長さ４２０ｍｍのアルミニウム製角棒である接合部材２１ｄが挿入されている。
【００７３】
図８に示したように、接合部材２１ａと接合部材２１ｂは、ビス２２、２２・・によりビス留めされて、底壁１９と側壁２０ａ及び側壁２０ｃが固定されている。又、図９に示したように、接合部材２１ｄと接合部材２１ｃはビス２２、２２・・によりビス留めされて、側壁２０ｂ及び２０ｄと側壁２０ａ及び側壁２０ｃが固定されている。
【００７４】
上記接合部材２１としては、円管体、角管体、角棒、円棒、板体、アングル、チャンネル、ハット等が挙げられ、その材料は金属、合成樹脂、材木等が挙げられるが強度が要求される場合は金属や合成樹脂が好ましい。
【００７５】
又、箱状の人工土壌構成基材を補強するために、側壁と側壁で形成される稜線に断面形状Ｌ字型材をボルト、ナット、ビス、ネジ等で固定してもよいし、側壁と側壁で形成される上端部にチャンネルを固定してもよい。上記断面形状Ｌ字型材及びチャンネルは、金属、合成樹脂、材木等が任意の材料で製造されればよいが、強度が要求される場合は金属製が好ましい。
【００７６】
底壁１９と側壁２０ａ、２０ｂ、２０ｃ、２０ｄの間及び側壁２０ａ、２０ｂ、２０ｃ、２０ｄ同士の間には、防水、防根侵入等の目的のために、不織布、合成樹脂発泡体等の緩衝材が介在されてもよいし、接着剤、粘着剤、接着テープ、粘着テープ等が介在されてもよい。
【００７７】
又、底壁１９と側壁２０ａを固定する場合、側壁２０ａの表薄板１又は裏薄板２を下から２〜１０番目のリブ４の位置まで２０〜５０ｍｍの間隔で取り除き、リブ４及び底壁１９に貫通孔を穿設し、ボルト、ナット、ビス等を嵌入して固定してもよい。又、側壁同士を固定する場合も、一方の側壁の表薄板又は裏薄板の一部を取り除き、リブに固定具を設置し、他方の側壁に貫通孔を穿設し、ボルト、ナット、ビス等を嵌入して固定してもよい。この方法を採用することにより箱状の人工土壌構成基材を短時間で容易に組み立てたり、分解することができる。
【００７８】
図１０〜図１３は底壁と側壁又は側壁と側壁を固定する異なる方法を示す説明図である。図１０において、１９は表薄板１と裏薄板２が略平行に設置された板状体のリブ４を介して積層されている中空板状体からなる底壁であり、表薄板１と裏薄板２には貫通孔４６が穿設されている。尚、３は表薄板１に穿設された帯状貫通孔である。２０は表薄板と裏薄板が略平行に設置された板状体のリブ４を介して積層されている中空板状体からなる側壁であり、表薄板に一部が刳り抜かれて刳り抜き部４４が形成されると共に刳り抜き部４４に接するリブ４は切除されている。又、刳り抜き部４４より下方のリブ４には貫通孔４５が穿設されている。４７はボルトであり、貫通孔４５及び貫通孔４６に挿入され、底壁１９の裏薄板２の下方に位置するナット４８で固定されることにより、底壁１９と側壁２０が固定されている。尚、４９、４９は座金である。
【００７９】
図１１においては、底壁１９の表薄板１の下方に位置するナット４８でボルト４７が固定されることにより、底壁１９と側壁２０が固定されている。その他は図１０と同一である。
【００８０】
図１２において、１９は表薄板１と裏薄板２が略平行に設置された板状体のリブ４を介して積層されている中空板状体からなる底壁であり、表薄板１と裏薄板２には貫通孔４６が穿設されている。尚、３は表薄板１に穿設された帯状貫通孔である。
２０ａは表薄板と裏薄板が略平行に設置された板状体のリブ４を介して積層されて排水路４が形成されている中空板状体からなる側壁であり、表薄板に一部が刳り抜かれて刳り抜き部４４が形成されると共に刳り抜き部４４に接するリブ４は切除されている。
又、刳り抜き部４４より下方のリブ４には貫通孔４５が穿設され、リブ４の切除された端部にコ字状のボルト固定具５０が設置されている。尚、ボルト固定具５０の略中央部にボルトが挿入可能な貫通孔が穿設されている。
【００８１】
２０ｂは表薄板１ａと裏薄板２ａが略平行に設置された板状体のリブ４ａを介して積層されている中空板状体からなる側壁であり、表薄板１ａと裏薄板２ａには貫通孔４６ａが穿設されている。
４７はボルトであり、貫通孔４５及び貫通孔４６に挿入され、底壁１９の表薄板１の下方に位置するナット４８で固定されることにより、底壁１９と側壁２０ａが固定されている。又、４７ａはボルトであり、ボルト固定具５０の貫通孔、側壁２０ａの排水路５及び貫通孔４６ａに挿入され、側壁２０ｂの表薄板１ａの側方に位置するナット４８ａで固定されることにより、側壁２０ｂと側壁２０ａが固定されている。尚、４９、４９ａは座金である。
【００８２】
図１３において、１９は表薄板１と裏薄板２が略平行に設置された板状体のリブ４を介して積層されている中空板状体からなる底壁であり、表薄板１と裏薄板２には貫通孔４６が穿設されている。尚、３は表薄板１に穿設された帯状貫通孔である。
２０ａは表薄板と裏薄板が略平行に設置された板状体のリブ４を介して積層されて排水路４が形成されている中空板状体からなる側壁であり、表薄板に一部が刳り抜かれて刳り抜き部４４ａ及び刳り抜き部４４ｂが形成されると共に刳り抜き部４４ａ及び刳り抜き部４４ｂに接するリブ４は切除されている。
【００８３】
又、刳り抜き部４４ａより下方のリブ４には貫通孔４５が穿設され、刳り抜き部４４ｂにおけるリブ４の切除された端部にコ字状のボルト固定具５０が設置されている。尚、ボルト固定具５０の略中央部にボルトが挿入可能な貫通孔が穿設されており、ボルト固定具５０は足部が側壁２０ａの側端部と略面一になるように設置されている。
２０ｂは表薄板１ａと裏薄板２ａが略平行に設置された板状体のリブ４ａを介して積層されている中空板状体からなる側壁であり、表薄板１ａと裏薄板２ａには貫通孔４６ａが穿設されている。
【００８４】
４７はボルトであり、貫通孔４５及び貫通孔４６に挿入され、底壁１９の表薄板１の下方に位置するナット４８で固定されることにより、底壁１９と側壁２０ａが固定されている。又、４７ａはボルトであり、ボルト固定具５０の貫通孔、側壁２０ａの排水路５及び貫通孔４６ａに挿入され、側壁２０ｂの表薄板１ａの側方に位置するナット４８ａで固定されることにより、側壁２０ｂと側壁２０ａが固定されている。尚、４９、４９ａは座金である。
上記ボルト固定具５０としては、機械的強度が高いものが好ましく、金属、熱可塑性樹脂、熱硬化性樹脂等の素材で製造されるのが好ましい。
尚、刳り抜き部は表薄板及び裏薄板の両面を刳り抜き、一方の薄板の開口部をゴム成形品等の他部材で閉鎖して形成されてもよい。
【００８５】
更に、上記箱状になされている人工土壌構成基材は、その内部に壁材を立設することにより小部屋を形成してもよく、該壁材としては上記請求項１〜１１に記載の人工土壌構成基材が使用される。
上記人工土壌構成基材を、箱の展開図の形状に切断し折り畳んで箱に成形してもよい。例えば、略矩形の底壁の各辺に側壁が接続されている形状に人工土壌構成基材を打抜き、各側壁を折り畳むことにより、立設して箱を形成することができる。この場合、側壁の側面に嵌合用突起又は凹凸部を形成しておくことにより、より容易に組み立てることができる。又、表裏薄板の少なくとも一方の薄板に切り込みを形成して屈曲などを容易にしてもよい。
【００８６】
上記人工土壌構成基材は箱状になされているので、植木鉢として使用可能であり、中に土壌等を充填して植物を栽培することができる。又、箱状の人工土壌構成基材が大きい場合は重くなるので底部にキャスターを設置したり、側壁に把手を設置してもよい。こうすることにより、人工土壌構成基材中に土壌等を充填して植物を栽培しながら自由に移動し位置を変えることができる。
【００８７】
請求項１６記載の人工土壌構成基材は、請求項１〜１３のいずれか１項記載の人工土壌構成基材が屈曲されるか又は人工土壌構成基材の両端部に側壁が立設されて溝状になされていることを特徴とする。
【００８８】
上記側壁としては、機械的強度を有する任意の板状体が使用可能であるが、通気性、排水性、断熱性等の優れた、上記中空板状体が好ましい。側壁は中空板状体の端部を折り曲げることにより立設されてもよいし、他の中空板状体を組み立てて立設されてもよい。
【００８９】
図１４は、溝状の人工土壌構成基材の一例を示す分解斜視図である。６は縦８０ｃｍ、横９０ｃｍ、厚さ１２ｍｍの中空板状体であり、リブ４（排出路５）は縦方向に設置されている。中空板状体６の横方向の両端部から１８ｃｍ内側の裏薄板２がリブ４方向に切断され、表薄板１が折り曲げられて溝状に形成されている。
２０は縦１８ｃｍ、横５０ｃｍ、厚さ１２ｍｍの中空板状体からなる側壁であり、上記溝状の人工土壌構成基材の開口端部にビス、ボルト等で固定することにより、溝状の人工土壌構成基材の端部が閉鎖されると共に補強される。
【００９０】
上記人工土壌構成基材は樋状になされているので、畑等で一個又は複数個並べて、中に土壌等を充填して畦を形成し植物を栽培することができる。又、庭や畑の端部に埋設することにより、植物の枯葉や土壌が外部に流出することを防止したり、植物の芽や根が外部に伸長することを防止することができ土壌見切り材として好適に使用できる。
この場合、人工土壌構成基材を補強するために、人工土壌構成基材の周囲に前記中空板状体を積層してもよいし、両側壁をボルト、断面形状Ｌ型材等で固定してもよい。
【００９１】
更に、上記樋状の人工土壌構成基材は、折版屋根の凹溝に整合する大きさに成形し、凹溝に嵌入固定することにより折版屋根を緑化することができる。尚、折版屋根への樋状の人工土壌構成基材の固定は任意の方法が採用されてよく、例えば、ボルト・ ナット、ビス、永久磁石等で固定する方法が挙げられる。永久磁石で固定する場合は、中空板状体の排水路に複数の棒状永久磁石を挿入しておけばよい。
【００９２】
請求項１７記載の人工土壌構成基材は、裏薄板に多数の貫通孔が穿設されていることを特徴とする請求項１〜１６のいずれか１項記載の人工土壌構成基板である。
【００９３】
上記貫通孔の形状は、特に限定されず、例えば、直線、曲線、蛇行線等の帯、三角形、四角形、六角形等の多角形、円形、楕円形、幾何学模様、渦巻き模様等が挙げられ、帯状貫通孔が好ましく、リブと交差するように設けられるのが好ましい。交差角度は、表薄板に到達した水が表薄板の貫通孔を通って排水路に侵入し、更に、裏薄板の貫通孔を通って下方に排出されるので、水の排出効率の優れた略垂直が好ましい。
【００９４】
帯状貫通孔の幅は、特に限定されないが、幅が狭くなると裏薄板と排水路間の排水性や通気性が低下し、幅が広くなると植物の根が侵入しやすくなり、侵入した根により排水路の排水性や通気性が低下するので、１〜３ｍｍが好ましい。又、帯状貫通孔と帯状貫通孔の間隔は、間隔が狭くなると耐荷重性が低下し、広くなると排水性、通気性等が低下するので１０〜４０ｍｍが好ましい。
【００９５】
請求項１８記載の植物育成用人工土壌構造は、請求項１〜１７のいずれか１項記載の人工土壌構成基材の上部に土壌層が積層されていることを特徴とする。
【００９６】
上記土壌としては、特に限定されず従来公知の任意の土壌が使用可能であるが、土壌に砂、砂利、石、人工多孔質体（ガラス廃材を原料にして製造された軽石等の人工石）等が添加されていてもよいし、砂、砂利、石又は人工多孔質体単独又はその混合物であってもよい。又、植物の育成に好適な土壌が好ましいので、植物の種類に応じた肥料が配合されているのが好ましく、例えば、窒素、リン、カリ等を含む肥料、腐葉土、鉱物、海藻物、活性炭、乾燥剤、穀物、ロックウール繊維等を含む土壌が好ましい。
【００９７】
請求項１９記載の植物育成用人工土壌構造は、石材層、ロックウール繊維又はその成形体層及び請求項１７記載の人工土壌構成基材が積層され、更に、該人工土壌構成基材の上部に土壌層が積層されていることを特徴とする。
【００９８】
上記石材層は、排水効果を向上させる層であり、例えば、砂利、砕石、人工石材等で構成され、５ｃｍ以上の厚さが好ましい。
上記ロックウール繊維又はその成形体層は前述のロックウール繊維又はその成形体からなる層である。
【００９９】
上記土壌層中には、多数の貫通孔が穿設されている表薄板と多数の貫通孔が穿設されている裏薄板が多数のリブを介して積層されてなる中空板状体が積層されてもよい。
上記中空板状体は、請求項１又は２で説明した中空板状体の裏薄板に多数の貫通孔が穿設されている中空板状体であって、これを積層することにより土壌層の排水性、通気性、断熱性等が向上し、特に、排水性の要求される競技場で好適に使用できる。
【０１００】
請求項２１記載の植物育成用人工土壌構造は、土壌層に芝草が植えつけられていることを特徴とする請求項１８、１９又は２０記載の植物育成用人工土壌構造である。
上記植物育成用人工土壌構造は、通気性、排水性、断熱性等が優れており、栄養が豊富にあるので土壌層に植えつけられた芝草（ソッド）や芝草の種は元気に育成することができる。
【０１０１】
又、土壌層の上に、更に、前述のロックウール繊維又はその成形体と土壌層が交互に積層されるのが好ましく、最上部はロックウール繊維又はその成形体であってもよいし土壌層であってもよい。このロックウール繊維又はその成形体若しくは土壌層に植物を植えたり種を蒔くことにより、植物を育成することができる。
上記ロックウール繊維又はその成形体と土壌層の間、ロックウール繊維又はその成形体中若しくは土壌中に、上記多数の貫通孔が穿設されている表薄板と多数の貫通孔が穿設されている裏薄板が多数のリブを介して積層されてなる中空板状体が積層されてもよく、こうすることによりロックウール繊維又はその成形体と土壌層の通気性、断熱性等が向上する。
【０１０２】
請求項２４記載の植物育成用人工土壌構造は、表面のロックウール繊維又はその成形体若しくは土壌層に芝草が植えつけられていることを特徴とする請求項２２又は２３記載の植物育成用人工土壌構造である。
上記植物育成用人工土壌構造は、通気性、排水性、断熱性等が優れており、栄養が豊富にあるのでロックウール繊維又はその成形体若しくは土壌層に植えつけられた芝草（ソッド）や芝草の種は元気に育成することができる。
【０１０３】
図１５は、植物育成用人工土壌構造の一例を示す斜視図である。図中６は縦９０ｃｍ、横４５ｃｍ、厚さ９ｍｍの中空板状体であり、縦９０ｃｍ、横２ｃｍ、高さ１１．６ｍｍの断面形状Ｉ型の継手９ａにより、２枚の中空板状体６、６が排水路５、５が平行になるように接続されている。３は表薄板１に穿設された帯状貫通孔であり、排水路５と直交する方向に一定間隔に多数穿設されている。
【０１０４】
縦９０ｃｍ、横９０ｃｍのポリエステルスパンボンド不織布（目付量４０ｇ／ｍ2 ）と縦９０ｃｍ、横９０ｃｍの活性炭付着ポリエステルスパンボンド不織布（目付量８０ｇ／ｍ2 ）が、格子目の大きさが縦６０ｍｍ、横３６ｍｍになるように熱溶着され、各格子に窒素、リン及びカリウムを混和した顆粒状の肥料１ｇが封入されている植物育成シート１８が、活性炭付着ポリエステルスパンボンド不織布が上方になるように中空板状体６に積層されている。
【０１０５】
植物育成シート１８上には、縦目ピッチ、横目ピッチ共に５ｍｍであるポリプロピレン製網状体２３が積層され、その上に肥料の配合された土壌２４が積層されて、厚さ６ｃｍの植物育成用人工土壌構造が形成されている。尚、網状体２３は粘着テープで植物育成シート１８に固定されており、全体の重量は、乾燥時５２ｋｇ／ｍ2 であり、最大保水時は５６ｋｇ／ｍ2 であった。又、２５は芝草（ソッド）であり、芝草が植生されている状態を示している。
【０１０６】
図１６は、植物育成用人工土壌構造の異なる例を示す斜視図である。図中６は縦１００ｃｍ、横１００ｃｍ、厚さ１２ｍｍの中空板状体であり、帯状貫通孔３が排水路５と直交する方向に一定間隔に表薄板１に多数穿設されている。中空板状体６上にはロックウール繊維の角棒２６、２６・・が並列に配置され、角棒２６の上に肥料の配合された土壌２４が積層されて、厚さ７ｃｍの植物育成用人工土壌構造が形成されている。
【０１０７】
角棒２６は、ロックウール繊維に接合剤を加えて圧縮成形された高さ５ｃｍ、幅５ｃｍ、長さ５０ｃｍの直方体であって、その密度は２５０ｋｇ／ｍ3 であった。全体の重量は、乾燥時３２ｋｇ／ｍ2 であり、最大保水時は８８ｋｇ／ｍ2 であった。又、２５は芝草（ソッド）であり、芝草が植生されている状態を示している。
【０１０８】
図１７は、植物育成用人工土壌構造の異なる例を示す斜視図である。図中６は縦９０ｃｍ、横９０ｃｍ、厚さ１２ｍｍの中空板状体であり、帯状貫通孔３が排水路５と直交する方向に一定間隔に表薄板１に多数穿設されている。中空板状体６、６・・は、縦９０ｃｍ、横２ｃｍ、高さ１４．６ｍｍの断面形状Ｉ型の継手９ａ及び縦９０ｃｍ、横２ｃｍ、高さ１４．６ｍｍで、垂直壁に略楕円形の貫通孔が多数穿設されている断面形状Ｉ型の継手９ｂにより、排水路５、５が平行になるように接続されている。
【０１０９】
中空板状体６、６・・の表薄板１には、活性炭付着ポリエステルスパンボンド不織布（目付量８０ｇ／ｍ2 ）１５が積層され、その上にはロックウール繊維の板状体２７、２７・・が積層され、板状体２７の上に肥料の配合された土壌２４が積層されて、厚さ７ｃｍの植物育成用人工土壌構造が形成されている。尚、中空板状体６の表薄板１と活性炭付着ポリエステルスパンボンド不織布１５は粘着テープで固定されている。
【０１１０】
板状体２７は、ロックウール繊維に接合剤を加えて圧縮成形された縦２０ｃｍ、横２０ｃｍ、厚さ５ｃｍの直方体であって、その密度は２００ｋｇ／ｍ3 であり、直径２５ｍｍの貫通孔２８が３０ｍｍ間隔で穿設されている。全体の重量は、乾燥時２９ｋｇ／ｍ2 であり、最大保水時は５０ｋｇ／ｍ2 であった。又、２５は芝草（ソッド）であり、芝草が植生されている状態を示している。
【０１１１】
図１８は、植物育成用人工土壌構造の一例を示す斜視図である。図中６は縦１００ｃｍ、横１００ｃｍ、厚さ１２ｍｍの中空板状体であり、帯状貫通孔が排水路５と直交する方向に一定間隔に多数穿設されている。中空板状体６の端部は裏薄板２が排水路５に沿って切断され、上方向に折り曲げられて高さ約１０ｃｍの側壁２０が形成されている。
【０１１２】
中空板状体６、６・・の表薄板には、活性炭付着ポリエステルスパンボンド不織布（目付量８０ｇ／ｍ2 ）１５が積層され、その上に厚さ１０ｍｍの肥料の配合された土壌２４、厚さ２５ｍｍのロックウール繊維の板状体２７、厚さ１０ｍｍの肥料の配合された土壌２４、厚さ２５ｍｍのロックウール繊維の板状体２７及び厚さ１０ｍｍの肥料の配合された土壌２４が順次積層されて、厚さ約９ｃｍの植物育成用人工土壌構造が形成されている。尚、中空板状体６の表薄板１と活性炭付着ポリエステルスパンボンド不織布１５は粘着テープで固定されている。
【０１１３】
板状体２７は、ロックウール繊維に接合剤を加えて圧縮成形された縦２０ｃｍ、横２０ｃｍ、厚さ２５ｍｍの直方体であって、その密度は２００ｋｇ／ｍ3 であり、直径２５ｍｍの貫通孔２８が開口率１０％になるように穿設されている。全体の重量は、乾燥時５５ｋｇ／ｍ2 であり、最大保水時は８５ｋｇ／ｍ2 であった。又、２５は芝草（ソッド）であり、芝草が植生されている状態を示している。
【０１１４】
図１９は、植物育成用人工土壌構造の異なる例を示す斜視図である。図中６は縦１００ｃｍ、横１００ｃｍ、厚さ１２ｍｍの中空板状体であり、表薄板１に円形の貫通孔２９が一定間隔に多数穿設されている。
【０１１５】
中空板状体６、６・・の表薄板１には、活性炭付着ポリエステルスパンボンド不織布（目付量８０ｇ／ｍ2 ）１５が積層され、その上に縦目ピッチ、横目ピッチ共に５ｍｍであるポリプロピレン製網状体２３が積層され、更に、その上に、厚さ２５ｍｍのロックウール繊維の板状体２７、厚さ１０ｍｍの肥料の配合された土壌２４、厚さ２５ｍｍのロックウール繊維の板状体２７及び厚さ１０ｍｍの肥料の配合された土壌２４が順次積層されて、厚さ約８５ｍｍの植物育成用人工土壌構造が形成されている。尚、中空板状体６の表薄板１と活性炭付着ポリエステルスパンボンド不織布１５と網状体２３は粘着テープで固定されている。
【０１１６】
板状体２７は、ロックウール繊維に接合剤を加えて圧縮成形された縦２０ｃｍ、横２０ｃｍ、厚さ２５ｍｍの直方体であって、その密度は２００ｋｇ／ｍ3 であり、直径２５ｍｍの貫通孔２８が開口率１０％になるように穿設されている。全体の重量は、乾燥時４０ｋｇ／ｍ2 であり、最大保水時は７０ｋｇ／ｍ2 であった。又、２５は芝草（ソッド）であり、芝草が植生されている状態を示している。
【０１１７】
上記請求項１８〜２４に記載の植物育成用人工土壌構造は、庭、花壇、畑、ゴルフ場、芝生の植生されたスポーツ競技場等に設置すると、その部分の排水性、通気性、断熱性、保温性等が向上し、花、野菜、芝生等の生長が促進されるが、人が通行する場合には、植物を育成する植栽部と人が通行する歩行部が設けられるのが好ましい。
【０１１８】
歩行部は、単に土壌で形成する、土壌の上に石材を敷き詰める、土壌をコンクリートで固める等、従来公知の任意の方法で形成されればよいが、請求項１８〜２４に記載の植物育成用人工土壌構造よりなる植栽部を形成した場合は、植栽部の排水が好適に排水され、通気性が優れているのが好ましい。
【０１１９】
従って、請求項２５記載の緑化構造は、請求項１８〜２４のいずれか１項記載の植物育成用人工土壌構造よりなる植栽部と、多数の貫通孔が穿設されていてもよい、表薄板と裏薄板が多数のリブを介して積層されており、リブは略平行に設置されて、排水路が形成されている中空板状体の表薄板に、透水性アスファルト、タイル、煉瓦、コンクリート、石材、人工石材、ゴムブロック、ゴムシート又は木材が積層されてなる建築用部材よりなる歩行部が、中空板状体の排水路が略平行であって連通するように配置されていることを特徴とする。
【０１２０】
上記建築用部材を構成する中空板状体は、表薄板と裏薄板が多数のリブを介して積層されており、リブは略平行に設置されて、排水路が形成されている中空板状体であって、表薄板と裏薄板には多数の貫通孔が穿設されていてもよい。上記中空板状体の構造、構成する材料等は請求項１及び２で説明した通りであり、表薄板と裏薄板に穿設されている多数の貫通孔の形状も請求項１及び２で説明した通りであり、排水路に交差するように穿設された帯状貫通孔が好ましく、より好ましくは排水路と直交するように穿設された帯状貫通孔である。又、リブに貫通孔が穿設されていてもよい。
【０１２１】
上記建築用部材は、上記中空板状体の表薄板に、透水性アスファルト、タイル、煉瓦、コンクリート、石材、人工石材、ゴムブロック、ゴムシート又は木材が積層されてなるが、積層方法は従来公知の任意の方法が採用されてよく、例えば、コンクリ−ト、セメント、エポキシ樹脂系接着剤、ウレタン樹脂系接着剤等で接着する方法が挙げられる。又、建築用部材と中空板状体の表薄板の間に不織布、ロックウール繊維からなる不織布などの成形体を前述の接着剤等で接着して積層されてもよい。
【０１２２】
植栽部と歩行部は中空板状体の排水路が略平行であって連通するように配置されている。植栽部と歩行部は単に排水路が略平行であって連通するように端部をつき合わせて配置するだけでもよいが、より排水がスムーズにいくように、例えば、中空板状体の端面を突合せ端面同士を接着剤で接着する方法、中空板状体の端部を突合せ端部表面を防水粘着テープ、防根侵入接着シート等で接着する方法、端部に補助部材を積層し、ビス、ボルト等で固定する方法、端部付近の表薄板と板状リブを刳り抜き削除され、刳り抜き部より端部の板状リブに穿設された貫通孔にボルト、ナットで固定する方法、人工土壌構成基材の端部を嵌合しうる継手に端部を嵌合固定する方法等の方法で植栽部の中空板状体と歩行部の中空板状体を接合するのが好ましい。
【０１２３】
図２０は請求項２１記載の緑地化構造の一例を示す平面模式図である。図中３０、３０は植栽部であり、歩行部３１を介して配置されている。植栽部３０は請求項１８〜２４のいずれか１項記載の植物育成用人工土壌構造であり、歩行部３１は中空板状体の表薄板に石材３２、３２・・が接着されて形成されており、植栽部３０の中空板状体の排水路５ａと歩行部３１の中空板状体の排水路５ｂは破線で示したように略平行であって連通されている。
【０１２４】
請求項２６記載の建築物屋上緑化構造は、建築物屋上の、防水層が形成されている躯体上に、断熱材層を介して請求項１８〜２４のいずれか１項記載の植物育成用人工土壌構造が積層されていることを特徴とする。
【０１２５】
上記防水層は、特に限定されず、従来公知の任意の防水層が採用されてよく、例えば、ポリエチレン、ポリプロピレン、塩化ビニル樹脂等の合成樹脂シート；ゴムシート；ポリエチレン、ポリプロピレン、塩化ビニル樹脂、ポリスチレン、ポリウレタン等の合成樹脂発泡シート；ゴム発泡シート；改質アスファルト、エポキシ樹脂、ウレタン樹脂等の液体樹脂等が挙げられ、単独又は複合して被覆、敷設又は塗布されればよい。
上記断熱材は、建築物の躯体と植物育成用人工土壌構造との間を断熱し、躯体の温度が植物育成用人工土壌構造に伝わらないようにするものであるが、植物育成用人工土壌構造からの排水が躯体に侵入したり、植物の根が躯体を破壊しないように、断熱性、非透水性、機械的強度等が優れているものが好ましく、例えば、ポリエチレン、ポリプロピレン、塩化ビニル樹脂等の合成樹脂シート；ゴムシート；ポリエチレン、ポリプロピレン、塩化ビニル樹脂、ポリスチレン、ポリウレタン等の合成樹脂発泡シート；ゴム発泡シート；改質アスファルト、エポキシ樹脂、ウレタン樹脂等が挙げられる。
【０１２６】
又、断熱材として、表薄板と裏薄板が多数のリブを介して積層されてなる中空板状体及び表薄板と裏薄板が多数の板状体リブを介して積層され、板状体リブにより気体通路が形成されている中空板状体が好適に使用できる。これら中空板状体の構造、構成する材料等は請求項１、２及び６で説明した中空板状体と同一であるが、表薄板に貫通孔が穿設されていないほうが断熱性、減音性が優れているので好ましい。
上記断熱材は２種以上が積層して使用されてもよい。
【０１２７】
図２１は請求項２６記載の建築物屋上緑地化構造の一例を示す断面図である。図中３３は建築物の、防水層が形成されている躯体であり、躯体３３には、縦９０ｃｍ、横９０ｃｍ、厚さ１．３ｍｍの正方形の表薄板と裏薄板の間に、高さ９．４ｍｍ、厚さ１．３ｍｍの板状体のリブが３０ｍｍごとに設置され、排水路が形成されている中空板状体よりなる断熱材層３４が積層されている。
【０１２８】
断熱材層３４には中空板状体６が積層されている。中空板状体６は縦９０ｃｍ、横９０ｃｍ、厚さ１．３ｍｍの正方形の表薄板と裏薄板の間に、高さ９．４ｍｍ、厚さ１．３ｍｍの板状体のリブが３０ｍｍごとに設置され、排水路が形成されていると共に、表薄板には幅２．５ｍｍの直線状の帯状貫通孔が３０ｍｍごとに平行に穿設されている。
【０１２９】
中空板状体６には、活性炭付着ポリエステルスパンボンド不織布（目付量８０ｇ／ｍ2 ）１５が積層され、その上に縦目ピッチ、横目ピッチ共に５ｍｍであるポリプロピレン製網状体２３が積層され、更に、その上に、直径略５ｍｍのロックウール繊維の粒状体３５が順次積層されて、建築物屋上緑化構造が形成されている。尚、中空板状体６と活性炭付着ポリエステルスパンボンド不織布１５と網状体２３は粘着テープで固定されている。
【０１３０】
ロックウール繊維の粒状体３５は、ロックウール繊維に接合剤を加えて圧縮成形された成形体を粉砕したものであって、その密度は２００ｋｇ／ｍ3 である。このロックウール繊維の粒状体３５に芝草（ソッド）等の植物を植生することができる。
【０１３１】
植物育成用人工土壌構造として、請求項１７記載の人工土壌構成基材を構成要素として含む植物育成用人工土壌構造を積層する場合は、該人工土壌構成基材は裏薄板に多数の貫通孔が穿設されているから、土壌層に散布された水や雨水が断熱材まで浸透するので、建築物の躯体まで水が浸透しないように非透水性の断熱材が使用されるのが好ましく、断熱材まで浸透してきた水が好適に排水できるように植物育成用人工土壌構造と断熱材の間に請求項１〜７のいずれか１項記載の人工土壌構成基材が積層されるのがより好ましい。
【０１３２】
即ち、請求項２７記載の建築物屋上緑地化構造は、建築物屋上の、防水層が形成されている躯体上に、断熱材層を介して請求項１〜７のいずれか１項記載の人工土壌構成基材、請求項１７記載の人工土壌構成基材及び土壌層が、順次積層されていることを特徴とする。
【０１３３】
土壌層の上に、更に、ロックウール繊維又はその成形体と土壌層が交互に積層され、最上部がロックウール繊維又はその成形体若しくは土壌層であってもよい。
【０１３４】
更に、土壌層とロックウール繊維又はその成形体の間、ロックウール繊維又はその成形体中若しくは土壌層の中に前述の多数の貫通孔が穿設されている表薄板と多数の貫通孔が穿設されている裏薄板が多数のリブを介して積層されてなる中空板状体が積層されてもよく、こうすることによりロックウール繊維又はその成形体と土壌層の間、ロックウール繊維又はその成形体及び土壌層の通気性、断熱性等が向上する。
【０１３５】
図２２は請求項２７記載の建築物屋上緑地化構造の一例を示す断面図である。図中３３は建築物の、防水層が形成されている躯体であり、躯体３３には、縦９０ｃｍ、横９０ｃｍ、厚さ１．３ｍｍの正方形の表薄板と裏薄板の間に、高さ９．４ｍｍ、厚さ１．３ｍｍの板状体のリブが３０ｍｍごとに設置され、排水路が形成されている中空板状体よりなる断熱材層３４が積層されている。
【０１３６】
断熱材層３４には人工土壌構成基材３６が積層されている。人工土壌構成基材３６は縦９０ｃｍ、横９０ｃｍ、厚さ１．３ｍｍの正方形の表薄板と裏薄板の間に、高さ９．４ｍｍ、厚さ１．３ｍｍの板状体のリブが３０ｍｍごとに設置され、排水路が形成されていると共に、表薄板には幅２．５ｍｍの直線状の帯状貫通孔が３０ｍｍごとに平行に穿設されている。
【０１３７】
人工土壌構成基材３６には、表薄板と裏薄板の両方に帯状貫通孔が穿設されている中空板状体３７が積層されている。中空板状体３７は縦９０ｃｍ、横９０ｃｍ、厚さ１．３ｍｍの正方形の表薄板と裏薄板の間に、高さ９．４ｍｍ、厚さ１．３ｍｍの板状体のリブが３０ｍｍごとに設置され、排水路が形成されていると共に、表薄板及び裏薄板には幅２．５ｍｍの直線状の帯状貫通孔が３０ｍｍごとに平行に穿設されている。
【０１３８】
中空板状体３７には、活性炭付着ポリエステルスパンボンド不織布（目付量８０ｇ／ｍ2 ）１５が積層され、その上に、縦９０ｃｍ、横９０ｃｍのポリエステルスパンボンド不織布（目付量４０ｇ／ｍ2 ）と縦９０ｃｍ、横９０ｃｍの活性炭付着ポリエステルスパンボンド不織布（目付量８０ｇ／ｍ2 ）が、格子目の大きさが縦６０ｍｍ、横３６ｍｍになるように熱溶着され、各格子に窒素、リン及びカリウムを混和した顆粒状の肥料１ｇが封入されている植物育成シート１８が積層されている。
【０１３９】
植物育成シート１８には、縦目ピッチ、横目ピッチ共に５ｍｍであるポリプロピレン製網状体２３が積層され、その上に、直径略５ｍｍのロックウール繊維の粒状体３５が順次積層され、更に、その上に土壌２４が積層されて、建築物屋上緑地化構造が形成されている。尚、中空板状体３７と活性炭付着ポリエステルスパンボンド不織布１５と植物育成シート１８と網状体２３は粘着テープで固定されている。
【０１４０】
ロックウール繊維の粒状体３５は、ロックウール繊維に接合剤を加えて圧縮成形された成形体を粉砕したものであって、その密度は２００ｋｇ／ｍ3 である。土壌２４が表面であり、この土壌２４に芝草（ソッド）等の植物を植生することができる。
【０１４１】
請求項２９記載の建築物屋上緑地化構造は、建築物屋上の、防水層が形成されている躯体上に、断熱材層を介して、請求項１８〜２４のいずれか１項記載の植物育成用人工土壌構造よりなる植栽部と、多数の貫通孔が穿設されていてもよい表薄板と裏薄板が多数のリブを介して積層されており、リブは略平行に設置されて、排水路が形成されている中空板状体の表薄板に透水性アスファルト、タイル、煉瓦、コンクリ−ト、石材、ゴムブロック、ゴムシート又は木材が積層されてなる建築用部材よりなる歩行部が、中空板状体の排水路が略平行であって連通するように配置されていることを特徴とする。
【０１４２】
請求項３０記載の建築物屋上緑地化構造は、建築物屋上の、防水層が形成されている躯体上に、断熱材層を介して請求項１〜７のいずれか１項記載の人工土壌構成基材、請求項１７記載の人工土壌構成基材及び土壌層が、順次積層されてなる植栽部と、多数の貫通孔が穿設されていてもよい表薄板と裏薄板が多数のリブを介して積層されており、リブは略平行に設置されて、排水路が形成されている中空板状体の表薄板に透水性アスファルト、タイル、煉瓦、コンクリ−ト、石材、ゴムブロック、ゴムシート又は木材が積層されてなる建築用部材よりなる歩行部が、中空板状体の排水路が略平行であって連通するように配置されていることを特徴とする。
【０１４３】
建築物屋上緑地化構造においても、植物を育成する植栽部と人が通行する歩行部が設けられるのが好ましく、歩行部の構成は請求項２５で説明した通りである。
【０１４４】
又、植栽部の土壌層の上に、更に、ロックウール繊維又はその成形体と土壌層が交互に積層され、最上部がロックウール繊維又はその成形体若しくは土壌層であってもよい。
【０１４５】
更に、土壌層中、ロックウール繊維又はその成形体中、ロックウール繊維若しくはその成形体と土壌層の間に前述の多数の貫通孔が穿設されている表薄板と多数の貫通孔が穿設されている裏薄板が多数のリブを介して積層されてなる中空板状体が積層されてもよく、こうすることにより土壌層、ロックウール繊維又はその成形体及びロックウール繊維又はその成形体と土壌層の間の通気性、断熱性等が向上する。
【０１４６】
請求項１８〜２４記載の植物育成用人工土壌構造、請求項２５記載の緑地化構造並びに請求項２６〜３４記載の建築物屋上緑地化構造においては、土壌層及びロックウール繊維又はその成形体層の通気性を向上させるために、表薄板と裏薄板が多数のリブを介して積層されてなる中空板状体又は表薄板と裏薄板が多数の板状体リブを介して積層され、板状体リブにより気体通路が形成されている中空板状体が、気体通路が上下方向を向くように、土壌層中、ロックウール繊維又はその成形体層中若しくはその周囲に立設されていてもよい。
【０１４７】
該中空板状体を土壌層中若しくはロックウール繊維又はその成形体層中に立設する場合は埋設されていてもよいし、一端が表面にでていてもよい。該中空板状体を土壌層及びロックウール繊維又はその成形体層の周囲に立設する場合は、請求項１８〜２４記載の植物育成用人工土壌構造及び請求項２５記載の緑化構造においては庭等の見切り材として作用し、請求項２６〜３４記載の建築物屋上緑地化構造においては、建築物屋上緑地化構造の周壁として作用するので、土壌層及びロックウール繊維又はその成形体層と同一高さ若しくはそれより高くなるように立設するのが好ましい。
【０１４８】
該中空板状体は、気体通路と土壌層及びロックウール繊維又はその成形体層の間で空気や水分が流通するように、表薄板と裏薄板の少なくとも一方に貫通孔が穿設されていてもよく、貫通孔が穿設されている場合は、気体通路に土壌、ロックウール繊維又はその成形体、植物の根等が入らないように不織布が積層されているのが好ましい。但し、請求項２６〜３４記載の建築物屋上緑地化構造において、建築物屋上緑地化構造の周囲に立設される場合は、排水が建築物屋上緑化構造から建築物屋上に漏水しないように、少なくとも外周に位置する薄板は貫通孔が穿設されないのが好ましい。
上記中空板状体の構造、構成する材料等は請求項１及び２で説明した中空板状体と同一である。
【０１４９】
請求項２６〜３４記載の建築物屋上緑地化構造においては、建築物屋上緑地化構造からの排水を好適に排水し、土壌層及びロックウール繊維又はその成形体層の通気性を向上させるために、表薄板と裏薄板が多数のリブを介して積層されてなる中空板状体又は表薄板と裏薄板が多数の板状体リブを介して積層され、板状体リブにより排水路が形成されており、表薄板に貫通孔が穿設されている中空板状体を排水路が水平方向を向くように、且つ、表薄板が建築物屋上緑地化構造に接する（内側を向くように）その周囲に立設してもよい。
【０１５０】
この場合、排水が下方に集まるように板状体リブには貫通孔が穿設されるのが好ましく、排水路に土壌、ロックウール繊維又はその成形体、植物の根等が入らないように不織布が積層されているのが好ましい。
【０１５１】
上記中空板状体を建築物屋上緑地化構造に固定する方法は、従来公知の任意の方法が採用されてよく、例えば、建築物屋上緑地化構造の断熱層又は人工土壌構成基材（中空板状体）に請求項１５で説明した方法で固定する方法が挙げられる。
上記中空板状体の構造、構成する材料等は請求項１及び２で説明した中空板状体と同一である。
【０１５２】
請求項２６〜３４記載の建築物屋上緑地化構造においては、建築物屋上緑地化構造からの排水を好適に排水するために、建築物屋上緑地化構造の排水用の中空板状体（図２１における６、図２２における３６）の排水路が開口している端部に、該排水路からの排水を集水し排水しうる、該排水路と略直交する排水路を有する排水用継手が設置されてもよい。
【０１５３】
図２３は上記排水用継手の一例を示す斜視図である。図中３８は排水用継手であり、３枚の垂直壁３９、３９’、３９”を介して上板４０と下板４１が積層され、排水路４２、４２’が形成されている断面形状はしご型の継手であり、垂直壁３９’及び３９”には多数の貫通孔４３、４３・・が穿設されている。
排水用継手３８は垂直壁３９”側を建築物屋上緑地化構造の排水用の中空板状体に接続することにより、建築物屋上緑地化構造から排出された排水は排水路４２，４２’を通って排水される。
【０１５４】
上記上板、下板及び垂直壁を構成する材料は、上記請求項１又は２記載の中空板状体の表薄板、裏薄板及びリブを構成する材料と同一の材料が使用されてよく、その厚みも上記請求項１又は２記載の中空板状体の表薄板、裏薄板及びリブと略同一であるのが好ましい。
【０１５５】
排水用継手３８の幅は、建築物屋上緑地化構造の排水用の中空板状体に接続するのであるから、１５ｍｍ以上が好ましく、より好ましくは３０〜１００ｍｍであり、長さは建築物屋上緑地化構造の幅にあわせて決定されればよく、複数の排水用継手を接続してもよい。又、上板と下板の間隔も中空板状体に嵌合する場合は嵌合しうるように、突き合せて接続する場合は中空板状体の厚さと略同一になるように、中空板状体の厚さに従って適宜決定されればよい。
【０１５６】
又、垂直壁に穿設される貫通孔の形状は特に限定されず、例えば、直線、曲線、蛇行線等の帯、三角形、四角形、六角形等の多角形、円形、楕円形、幾何学模様、渦巻き模様等が挙げられる。
【０１５７】
排水用継手３８と建築物屋上緑地化構造の排水用の中空板状体の接続は、中空板状体と排水用継手を単に突き合わせたり、中空板状体を排水用継手に単に嵌合するだけでも良いが、より強固に固定したり、根が侵入することを防止するために、中空板状体と排水用継手の突合せ部や中空板状体と排水用継手を嵌合した接合部に防水粘着テープや防根侵入接着シートを貼付してもよいし、中空板状体と排水用継手の間に合成樹脂発泡シート等の緩衝材を介装してもよいし、更に接着剤で接着してもよい。
【発明の効果】
【０１５８】
請求項１記載の人工土壌構成基材の構成は上述の通りであるから、薄層で軽量であり、組立、解体、移動等の作業性や施工性が優れており、又、機械的強度が大きく、作業用自動車等がその上を通過して大きな荷重が負荷されても破壊されることがない。表薄板と裏薄板の間は中空になされているので通気性がよく、この中空部を外気と連通すると常に新鮮な空気が保持できると共に、植物の成長に不具合を生じさせるガスを排出することができる。中空部には空気層が形成され、夏は断熱性が優れており、冬は保温性が優れている。又、表薄板には多数の貫通孔が穿設されているので、人工土壌構成基材より上方の水は貫通孔から表薄板と裏薄板の間の中空に入り効率よく排水される。従って、人工土壌構成基材を地中に埋設すると、その部分の排水性、通気性、断熱性、保温性等が向上するので、道路周辺では排水性が向上し水はけがよく水溜りが発生しにくくなり、畑、花壇、ゴルフ場、芝生の植生されたスポーツ競技場では、水はけがよく、通気性が優れ、夏は断熱され、冬は保温される、花、野菜、樹木、芝生等の生長が促進される。
【０１５９】
請求項２記載の人工土壌構成基材の構成は上述の通り、多数の板状体のリブが略平行に設置されて排水路が形成されているから、より機械的強度が大きく、作業用自動車等がその上を通過して大きな荷重が負荷されても破壊されることがなく、通気性及び排水性がより優れている。又、貫通孔は帯状であり、排水路に交差すると共に平行に穿設されているので排水性がより優れている。
【０１６０】
請求項３〜５記載の人工土壌構成基材の構成は上述の通りであり、人工土壌構成基材の排水路に水を貯留することができ、保水性に起因した散水省力化と断熱性が優れている。従って、人工土壌構成基材を道路周辺などの地中に埋設すると、気化現象によりその部分の地表温度が下がる。
【０１６１】
請求項６記載の人工土壌構成基材の構成は上述の通りであり、継手により大板化されているので広い畑、花壇、ゴルフ場、芝生の植生されたスポーツ競技場等に容易に設置することができる。又、任意の形状に切断して使用することもでき、例えば、瓢箪のような場所や三角形のような場所にも設置することができる。
【０１６２】
請求項７記載の人工土壌構成基材の構成は上述の通りであり、人工土壌構成基材の表薄板に、すのこ状、波板状、凹凸状、箱状又は樋状であって、厚み方向に貫通孔が穿設されている成形体が積層されているので、断熱性、排水性等がより優れている。
【０１６３】
請求項８記載の人工土壌構成基材の構成は上述の通りであり、人工土壌構成基材の表薄板に不織布及び／又は活性炭が付着若しくは含浸されている不織布が積層されているので、貫通孔を通って排水路に土壌が流出することが防止されると共に植物の根が排水路に伸長することが防止され、排水路が詰まることなく長期間使用できる。又、活性炭が付着若しくは含浸されていると、活性炭は微生物活性効果を有しており植物の育成効果が優れている。
【０１６４】
請求項９記載の人工土壌構成基材の構成は上述の通りであり、人工土壌構成基材の表薄板に網状体が積層されているので、植物の根が網状体に絡まり、植物が抜けにくくなる。従って、強風が吹く場所に木を植えたり、薄い土壌層に芝生を植える際に好適である。
【０１６５】
請求項１０記載の人工土壌構成基材の構成は上述の通りであり、人工土壌構成基材の表薄板側に、２枚の不織布が格子状に接合され、生じた格子目の上下不織布の間に肥料又は肥料と活性炭の混合物が封入されてなる植物育成シートが積層されているので、人工土壌構成基材上の全面に均一に肥料又は肥料と活性炭を設置することができ、その上に植えた植物に均一に万遍なく栄養を長期間連続的に供給することができる。
【０１６６】
請求項１１記載の人工土壌構成基材の構成は上述の通りであり、植物育成シートの不織布のうち少なくとも１枚に活性炭が付着若しくは含浸されているので、植物の育成効果が優れている。
【０１６７】
請求項１２又は１３記載の人工土壌構成基材の構成は上述の通りであり、人工土壌構成基材の表薄板側に、ロックウール繊維又はその成形体が積層されており、その成形体の形状は不織布、フェルト状体、板状体、角棒又は粒状物、綿状物であり、ロックウール繊維は病原菌や雑草の種子を含まず、植物の育成に必要な栄養素を多く含み、且つ、断熱性、保温性、保水性等が優れているので植物が丈夫に育つ。
【０１６８】
請求項１４記載の人工土壌構成基材の構成は上述の通りであり、ロックウール繊維又はその成形体には凹部又は貫通孔が形成されているので、散水した際や大雨の際に水がスムーズに分散すると共に水が成形体内部にスムーズに保水することができる。又、ロックウール繊維又はその板状体に設けられた貫通孔に土壌を詰めることにより、板状体への荷重を低減することができ、保水時の耐荷重性が向上する。
【０１６９】
請求項１５記載の人工土壌構成基材の構成は上述の通りであり、人工土壌構成基材が箱状になされているから、地中に埋設すると底面と側面から通気性効果と排水性効果が得られ、植物の育成が優れている。又、側方へ芽や根が広がろうとする植物に対してはその広がりを制御する見切り材として使用ことができる。更に、この人工土壌構成基材は中に土壌を供給することにより植木鉢として使用することも可能である。
【０１７０】
請求項１６記載の人工土壌構成基材の構成は上述の通りであり、人工土壌構成基材が溝状になされているから、地中に埋設すると底面と側面から通気性効果と排水性効果が得られ、植物の育成が優れている。又、庭等の端部に設置し、植物の芽や根が外に広がろうとすることを制御する見切り材として使用することができる。更に、この人工土壌構成基材は中に土壌を供給し、折版屋根の凹部に設置することにより折版屋根用の緑地化装置（植木鉢）として使用することも可能である。
【０１７１】
請求項１７記載の人工土壌構成基材の構成は上述の通りであり、人工土壌構成基材の際下層の中空板状体の裏薄板に多数の貫通孔が穿設されているので、人工土壌構成基材より上方の水は貫通孔から表薄板と裏薄板の間の排水路に入り排水路から排水されるだけでなく裏薄板の多数の貫通孔からも排水されるのでより効率よく排水される。
【０１７２】
請求項１８記載の植物育成用人工土壌構造の構成は上述の通りであり、請求項１〜１７のいずれか１項記載の人工土壌構成基材の上部に土壌層が積層されているのであるから、排水性、通気性、断熱性、保温性、排水性等が優れており、花、野菜、芝生等の育成に適しており、特に根の成長が早く促成栽培に優れている。
【０１７３】
請求項１９記載の植物育成用人工土壌構造の構成は上述の通りであり、石材層、ロックウール繊維又はその成形体層及び請求項１７項記載の植物育成用人工土壌構造が積層され、更に、植物育成用人工土壌構造の上部に土壌層が積層されるのであるから、より通気性、排水性、断熱性等がより優れ、植物の育成により好適であり、特に、排水性の要求される競技場で好適に使用される。
【０１７４】
請求項２０記載の植物育成用人工土壌構造の構成は上述の通りであり、請求項１８又は１９項記載の植物育成用人工土壌構造の土壌層に中空板状体が積層されるのであるから、土壌層の通気性、断熱性等がより優れ、植物の育成により好適である。
【０１７５】
請求項２１記載の植物育成用人工土壌構造の構成は上述の通りであり、請求項１８、１９又は２０記載の植物育成用人工土壌構造の土壌層に芝草が植えつけられているのであるから芝草（ソッド）は好適に育成される。
【０１７６】
請求項２２記載の植物育成用人工土壌構造の構成は上述の通りであり、請求項１８、１９又は２０記載の植物育成用人工土壌構造の土壌層の上に、更に、ロックウール繊維又はその成形体と土壌層が交互に積層され、最上部がロックウール繊維又はその成形体若しくは土壌層であるから、排水性、通気性、断熱性、保温性、排水性等が優れており、花、野菜、芝生等の育成に更に適しており、特に根の成長が早く促成栽培に優れている。
【０１７７】
請求項２３記載の植物育成用人工土壌構造の構成は上述の通りであり、請求項２２項記載の植物育成用人工土壌構造のロックウール繊維又はその成形体と土壌層の間、ロックウール繊維又はその成形体中若しくは土壌層中に中空板状体が積層されるのであるから、ロックウール繊維又はその成形体及び土壌層の通気性、断熱性等がより優れ、植物の育成により好適である。
【０１７８】
請求項２４記載の植物育成用人工土壌構造の構成は上述の通りであり、請求項２２又は２３記載の植物育成用人工土壌構造における表面のロックウール繊維又はその成形体若しくは土壌層に、芝草（ソッド）が植えつけられているのであるから芝草は好適に育成される。
【０１７９】
請求項２５記載の緑地化構造の構成は上述の通りであり、植栽部は排水性、通気性、断熱性、保温性、排水性等が優れており、花、野菜、芝生等の育成に更に適しており、歩行部は排水性、歩行性等に優れているので、庭や公園等に植栽部と歩行部を形成するのに好適である。
【０１８０】
請求項２６〜３３記載の建築物屋上緑地化構造の構成は上述の通りであり、人工土壌構成基材は薄層で軽量なので、組立、解体、移動等の作業性や施工性が優れており、建築物の屋上に作業性よく容易に設置することができる。又、機械的強度が大きいので、大きな荷重が負荷されても破壊されることがない。
【０１８１】
又、この建築物屋上緑地化構造は通気性、排水性、断熱性、保温性等が優れており、植物の育成に好適である。特に、中空板状体の中空部には空気層が形成されており、例え、建築物が高温になってもその熱が植物の根まで伝導されることが防止され、耐熱性の低い芝生でも好適に育成できる。
【０１８２】
請求項３４記載の建築物屋上緑地化構造の構成は上述の通りであり、断熱材層が、表薄板と裏薄板が多数の板状体リブを介して積層され、板状体リブにより気体通路が形成されている中空板状体であるから、断熱性、減音効果が優れおり、建築物屋上からの伝熱及び騒音を効果的に遮断することができる。
【図面の簡単な説明】
【０１８３】
【図１】人工土壌構成基材の一例を示す斜視図である。
【図２】排水路の両端部を閉鎖された人工土壌構成基材の一例を示す側面図である。
【図３】請求項３記載の人工土壌構成基材の一例を示す平面図である。
【図４】図３におけるＡ−Ａ断面図である。
【図５】図３におけるＢ−Ｂ断面図である。
【図６】植物育成シートの一例を示す斜視図である。
【図７】箱状の人工土壌構成基材の一例を示す斜視図である。
【図８】図６におけるＣ−Ｃ断面図である。
【図９】図６におけるＤ−Ｄ断面図である。
【図１０】底壁と側壁を固定する異なる方法を示す説明図である。
【図１１】底壁と側壁を固定する異なる方法を示す説明図である。
【図１２】底壁と側壁及び側壁と側壁を固定する異なる方法を示す説明図である。
【図１３】底壁と側壁及び側壁と側壁を固定する異なる方法を示す説明図である。
【図１４】溝状の人工土壌構成基材の一例を示す分解斜視図である。
【図１５】植物育成用人工土壌の一例を示す斜視図である。
【図１６】植物育成用人工土壌の異なる例を示す斜視図である。
【図１７】植物育成用人工土壌の異なる例を示す斜視図である。
【図１８】植物育成用人工土壌の一例を示す斜視図である。
【図１９】植物育成用人工土壌の異なる例を示す斜視図である。
【図２０】緑地化構造の一例を示す平面模式図である。
【図２１】建築物屋上緑地化構造の一例を示す断面図である。
【図２２】建築物屋上緑地化構造の異なる例を示す断面図である。
【図２３】排水用継手の一例を示す斜視図である。
【符号の説明】
【０１８４】
１    表薄板
２    裏薄板
３    帯状貫通孔
４    リブ
５    排水路
６    中空板状体
７    板状体
８    切欠き部
９    継手
１０  垂直壁
１１  上板
１２  下板
１３  貫通孔
１４  不織布
１５  活性炭付着不織布
１６  格子目
１７  肥料
１８  植物育成シート
１９  底部材
２０  側壁
２１  接合部材
２２  ビス
２３  網状体
２４  土壌
２５  芝草
２６  ロックウール繊維の角棒
２７  ロックウール繊維の板状体
２８  貫通孔
２９  貫通孔
３０  植栽部
３１  歩行部
３２  石材
３３  躯体
３４  断熱材層
３５  ロックウール繊維の粒状物
３６  人工土壌構成基材
３７  中空板状体
３８  排水用継手
３９  垂直壁
４０  上板
４１  下板
４２  排水路
４３  貫通孔
４４  刳り抜き部
４５  貫通孔
４６  貫通孔
４７  ボルト
４８  ナット
４９  座金
５０  ボルト固定具
【図１】
2005137364.tif 000003
【図２】
2005137364.tif 000004
【図３】
2005137364.tif 000005
【図４】
2005137364.tif 000006
【図５】
2005137364.tif 000007
【図６】
2005137364.tif 000008
【図７】
2005137364.tif 000009
【図８】
2005137364.tif 000010
【図９】
2005137364.tif 000011
【図１０】
2005137364.tif 000012
【図１１】
2005137364.tif 000013
【図１２】
2005137364.tif 000014
【図１３】
2005137364.tif 000015
【図１４】
2005137364.tif 000016
【図１５】
2005137364.tif 000017
【図１６】
2005137364.tif 000018
【図１７】
2005137364.tif 000019
【図１８】
2005137364.tif 000020
【図１９】
2005137364.tif 000021
【図２０】
2005137364.tif 000022
【図２１】
2005137364.tif 000023
【図２２】
2005137364.tif 000024
【図２３】
2005137364.tif 000025